(57)【要約】【課題】使用者によって新しい現在日時が入力されても、入力により変更された時間を考慮してコンテンツの使用経過時間を管理することにより、コンテンツの不正使用を防止し得る移動通信端末機のデジタル著作権管理（ＤＲＭ）方法を提供する。【解決手段】移動通信端末機のＤＲＭ方法は、リアルタイムクロックの現在日時の再設定要請があるか否かを確認する確認段階と、現在日時の再設定要請がある場合、使用者から新しい日時が入力される入力段階と、前記入力日時と前記現在日時との時間差を計算し、前記計算された時間差を記憶する段階と、入力日時及び記憶された時間差に基づいて使用経過時間を管理する管理段階と、を含む。【選択図】図１
2006190309.tif 000002
【特許請求の範囲】
【請求項１】
リアルタイムクロックの現在日時の再設定要請があるか否かを確認する確認段階と、
前記現在日時の再設定要請がある場合、使用者から新しい日時が入力される入力段階と、
前記入力日時と前記現在日時との時間差を計算し、前記計算された時間差を記憶する段階と、
前記入力日時及び前記記憶された時間差に基づいてコンテンツの使用経過時間を管理する管理段階と、
を含むことを特徴とする移動通信端末機のデジタル著作権管理方法。
【請求項２】
前記使用経過時間及び予め決められているコンテンツの使用許諾時間に基づいて前記コンテンツの使用可否を決定する決定段階をさらに含むことを特徴とする請求項１に記載の移動通信端末機のデジタル著作権管理方法。
【請求項３】
前記決定段階は、
前記使用経過時間が前記使用許諾時間を超過したか否かを判断する判断段階と、
前記使用経過時間が前記使用許諾時間を超過した場合、前記コンテンツの使用を禁止する禁止段階と、を含むことを特徴とする請求項２に記載の移動通信端末機のデジタル著作権管理方法。
【請求項４】
前記判断段階は、
前記使用経過時間が前記使用許諾時間内である場合、前記コンテンツの使用を許可する段階を含むことを特徴とする請求項３に記載の移動通信端末機のデジタル著作権管理方法。
【請求項５】
前記使用経過時間は、前記入力日時と前記記憶された時間差とを加算して算出されることを特徴とする請求項２に記載の移動通信端末機のデジタル著作権管理方法。
【請求項６】
前記コンテンツは、音楽ファイル、映画ファイル及びゲームファイルを含むことを特徴とする請求項２に記載の移動通信端末機のデジタル著作権管理方法。
【請求項７】
前記使用許諾時間は、前記コンテンツの提供業者によって予め決められていることを特徴とする請求項２に記載の移動通信端末機のデジタル著作権管理方法。
【請求項８】
前記確認段階は、前記現在日時の再設定要請がない場合、前記現在日時を継続して管理することを特徴とする請求項１に記載の移動通信端末機のデジタル著作権管理方法。
【請求項９】
前記リアルタイムクロックは、非同期伝送方式であるＧＳＭ（Global System for Mobile communication）またはＷＣＤＭＡ（Wideband Code Division Multiple Access）移動通信端末機に適用されることを特徴とする請求項１に記載の移動通信端末機のデジタル著作権管理方法。
【請求項１０】
前記移動通信端末機は、携帯電話、ＰＤＡ（Personal Digital Assistants）、またはノート型パーソナルコンピュータであることを特徴とする請求項９に記載の移動通信端末機のデジタル著作権管理方法。
【発明の詳細な説明】
【技術分野】
【０００１】
本発明は、移動通信端末機に関し、特に、オンラインコンテンツの不正使用を防止し得る移動通信端末機のデジタル著作権管理（Digital Rights Management: 以下、ＤＲＭと称する）をする方法に関する。
【背景技術】
【０００２】
最近の移動通信端末機は、各種付加機能のうち、特に、音楽ファイル、映画ファイルまたはゲームファイルなどをダウンロードするためのオンラインサービスの開発を通じて使用者の文化生活の質を向上させている。このようなオンラインサービスが有料化されつつ、コンテンツ（contents）提供業者の権利及び利益を安全な保護、不法複製の防止、使用料の賦課及び決済代行などの、コンテンツの生成から流通及び管理までを一括支援するＤＲＭが重要な情報技術として注目を集めている。
【０００３】
図２は、従来技術による移動通信端末機のＤＲＭ方法を示すフローチャートである。
【０００４】
図２に示すように、従来技術による移動通信端末機のＤＲＭ方法は、使用者によって設定された時間情報を基準に現在日時を管理する管理段階（Ｓ１１）と、現在日時の再設定要請があるか否かを確認する確認段階（Ｓ１２）と、現在日時の再設定要請がある場合、使用者から新しい日時が入力される入力段階（Ｓ１３）と、入力日時に基づいてコンテンツの使用経過時間を管理する管理段階（Ｓ１４）と、を含む。
【０００５】
以下、このような従来技術による移動通信端末機のＤＲＭ方法を詳細に説明する。
【０００６】
まず、移動通信端末機は、使用者によってリアルタイムクロック（Real Time Clock: 以下、ＲＴＣと称する）に設定された時間情報を基準に、移動通信端末機に表示される現在日時を管理する（Ｓ１１）。
【０００７】
次に、移動通信端末機は、使用者によって現在日時の再設定要請があるか否かを確認する（Ｓ１２）。即ち、移動通信端末機は、使用者によって現在日時の再設定要請がある場合、使用者から新しい日時が入力され（Ｓ１３）、現在日時の再設定要請がない場合、現在日時を継続して管理する。
【０００８】
移動通信端末機は、入力された日時に基づいてＲＴＣの現在日時を更新し、更新された現在日時を基準にコンテンツの使用経過時間を管理することができ、時間情報の再設定要請がない場合は、ＲＴＣの時間情報を基準に現在日時を管理することができる（Ｓ１４）。
【０００９】
従って、移動通信端末機は、コンテンツをダウンロードする時、コンテンツのダウンロード日時をメモリに記憶しておくことによって、ＲＴＣの現在日時に基づいてコンテンツの使用経過時間を正確に把握することができ、よって、コンテンツ提供業者によって予め決められている使用許諾時間内にコンテンツを使用することができる。
【００１０】
しかしながら、従来技術による移動通信端末機は、使用者によって現在日時の再設定要請がある場合、新しい日時が入力されることでＲＴＣの現在日時に基づいた使用経過時間を変更することができるため、コンテンツの不正使用を防止することができないという問題点があった。
【発明の開示】
【発明が解決しようとする課題】
【００１１】
従って、本発明の目的は、使用者によって新しい日時が入力されても、入力により変更された時間を考慮してコンテンツの使用経過時間を管理することにより、コンテンツの不正使用を防止し得る移動通信端末機のＤＲＭ方法を提供することにある。
【課題を解決するための手段】
【００１２】
このような目的を達成するために、本発明による移動通信端末機のＤＲＭ方法は、リアルタイムクロックの現在日時の再設定要請があるか否かを確認する確認段階と、前記現在日時の再設定要請がある場合、使用者から新しい日時が入力される入力段階と、前記入力日時と前記現在日時との時間差を計算し、前記計算された時間差を記憶する段階と、前記入力日時及び前記記憶された時間差に基づいてコンテンツの使用経過時間を管理する管理段階と、を含むことを特徴とする。
【発明の効果】
【００１３】
本発明による移動通信端末機のＤＲＭ方法は、使用者によって現在日時が入力されても、入力により変更された時間を考慮してコンテンツの使用経過時間を管理することにより、コンテンツの使用経過時間を正確に計算するため、コンテンツの不正使用を防止することができるという効果がある。
【発明を実施するための最良の形態】
【００１４】
以下、本発明による移動通信端末機のＤＲＭ方法の望ましい実施形態を、図面を参照して説明する。
【００１５】
図１は、本発明による移動通信端末機のＤＲＭ方法を示すフローチャートである。
【００１６】
図１に示すように、本発明による移動通信端末機のＤＲＭ方法は、使用者によって設定された時間情報を基準に現在日時を管理する段階（Ｓ２１）と、管理される現在日時の再設定要請があるか否かを確認する段階（Ｓ２２）と、現在日時の再設定要請がある場合、使用者から新しい日時が入力される段階（Ｓ２３）と、入力された新しい日時と現在日時との差を計算し、計算された時間差を記憶する段階（Ｓ２４）と、入力日時及び記憶された時間差に基づいてコンテンツの使用経過時間を管理する段階（Ｓ２５）と、を含む。
【００１７】
以下、このような本発明による移動通信端末機のＤＲＭ方法を詳細に説明する。
【００１８】
まず、移動通信端末機は、使用者によってＲＴＣに設定された時間情報を基準に、移動通信端末機に表示される現在日時を管理する（Ｓ２１）。
【００１９】
このとき、ＲＴＣは、移動通信端末機の内部的に現在日時を維持している一種の時計装置で、一般的に、基地局から周期的に時間情報が提供できないＧＳＭ（Global System for Mobile communication）またはＷＣＤＭＡ（Wideband Code Division Multiple Access）のような非同期（Asynchronous）伝送方式を使用する移動通信端末機に適用される。ここで、移動通信端末機は、携帯電話、ＰＤＡ（Personal Digital Assistants）、またはノート型パーソナルコンピュータである。
【００２０】
移動通信端末機は、使用者から現在日時の再設定要請があるか否かを確認する（Ｓ２２）。即ち、移動通信端末機は、使用者によって現在日時の再設定要請がある場合、キー入力装置（Key Input Device）を通じて使用者から新しい日時が入力される（Ｓ２３）。
【００２１】
移動通信端末機は、入力日時に基づいてＲＴＣの現在日時を更新しつつ、入力日時と更新される前の現在日時との時間差を記憶しておくことによって（Ｓ２４）、更新された現在日時及び記憶された時間差を基準にコンテンツの使用経過時間を管理することができる（Ｓ２５）。即ち、移動通信端末機は、使用者によって現在時刻が入力されても入力により変更された時間だけを考慮して使用経過時間を管理する。
【００２２】
反面、移動通信端末機は、使用者によって現在日時の再設定要請がない場合、ＲＴＣの時間情報を基準に持続的に現在日時を管理することができる。
【００２３】
一方、移動通信端末機は、コンテンツをダウンロードする時、ダウンロード日時に基づいてコンテンツ提供業者によって予め決められている使用許諾時間が加算されたコンテンツの使用期限をメモリに記憶しておく。ここで、コンテンツは、コンテンツ提供業者によって使用許諾時間が制限できる音楽ファイル、映画ファイル、ゲームファイルなどである。なお、使用期限は、コンテンツを配信しているサーバのＲＴＣに基づく日時をダウンロード日時として算出しても良い。そうすることで、コンテンツの不正使用の防止効果が更に向上する。
【００２４】
移動通信端末機は、コンテンツが使用される時、ＲＴＣの現在時刻に基づいた使用経過時間とメモリに記憶された使用許諾時間とを比較することによって、コンテンツの使用可否を決定する。即ち、移動通信端末機は、使用経過時間が使用許諾時間より大きい場合、コンテンツの使用を禁止させ、使用経過時間が使用許諾時間より小さい場合、コンテンツの使用を許可する。
【００２５】
移動通信端末機は、管理された使用経過時間を基準にコンテンツの使用可否を決定する。即ち、移動通信端末機は、コンテンツの初期ダウンロード日時及び管理された現在日時を基準に計算されたコンテンツの使用経過時間と使用許諾時間とを比較することによって、使用許諾時間を経過した時、コンテンツの使用を禁止することができる。
【００２６】
例えば、現在日時が２００４年１２月１日午前１時で、使用許諾時間が３日間である１つのＭＰ３（MPEG Audio Layer 3）ファイルをダウンロードする時、移動通信端末機は、ＭＰ３ファイルの使用期限である２００４年１２月４日午前１時をメモリに記憶しておく。
【００２７】
使用者は、ＭＰ３ファイルを再生する現在日時が２００４年１２月４日午前２時である時、現在日時の再設定要請をし、ＲＴＣの現在日時を変更するために、２００４年１２月３日午前２時を入力するが、移動通信端末機は、入力日時と現在日時との時間差をメモリに記憶しておくことによって、ＲＴＣの現在日時が２００４年１２月３日午前２時にが変更されても、記憶された時間差が考慮された２００４年１２月４日午前２時を現在日時として使用経過時間を管理する。
【００２８】
従って、移動通信端末機は、記憶された時間差が考慮された２００４年１２月４日午前２時と記憶された使用期限の２００４年１２月４日午前１時を比較することによって、ＭＰ３ファイルの使用期限を超過したと判断するため、ＭＰ３ファイルの使用を禁止させることができる。
【００２９】
このように、本発明に係るデジタル著作権管理方法においては、リアルタイムクロックの現在日時が使用者により再設定される場合に、新しく入力された日時と再設定前の日時との時間差を計算し、時間差を記憶する段階と、再設定後の日時及び計算された時間差に基づいてコンテンツの使用経過時間を管理する段階と、を含んで構成される。
【図面の簡単な説明】
【００３０】
【図１】本発明による移動通信端末機のＤＲＭ方法を示すフローチャート
【図２】従来技術による移動通信端末機のＤＲＭ機能支援方法を示すフローチャート
【図１】
2006190309.tif 000003
【図２】
2006190309.tif 000004